(57)【要約】【課題】定期的な洗浄をユーザに促すことにより、供給される飲料の品質保持等を行うことができる飲料ディスペンサを提供すること。【解決手段】飲料を供給するための飲料ディスペンサであって、当該飲料ディスペンサの内部における所定の被洗浄対象の洗浄タイミングに関する所定事項を監視する洗浄タイミング監視部５４と、洗浄タイミング監視部の監視結果に基づいて、洗浄に関する所定の制御を行う洗浄制御部５５とを備える。例えば、洗浄タイミング監視部５４は、被洗浄対象が洗浄タイミングで洗浄されたか否かを監視し、洗浄制御部５５は、被洗浄対象が洗浄タイミングで洗浄されていないと判断された場合に、洗浄を促す出力を行うための制御を行う。【選択図】        図４
2005263272.tif 000002
【特許請求の範囲】
【請求項１】
飲料を供給するための飲料ディスペンサであって、
当該飲料ディスペンサの内部における所定の被洗浄対象の洗浄タイミングに関する所定事項を監視する洗浄タイミング監視手段と、
上記洗浄タイミング監視手段の監視結果に基づいて、上記洗浄に関する所定の制御を行う洗浄制御手段と、
を備えたことを特徴とする飲料ディスペンサ。
【請求項２】
上記洗浄タイミング監視手段は、上記被洗浄対象が上記洗浄タイミングで洗浄されたか否かを監視し、
上記洗浄制御手段は、上記被洗浄対象が上記洗浄タイミングで洗浄されていないと上記洗浄タイミング監視手段にて判断された場合に、上記洗浄を促す出力を行うための制御を行うこと、
を特徴とする請求項１に記載の飲料ディスペンサ。
【請求項３】
上記洗浄タイミング監視手段は、上記被洗浄対象が上記洗浄タイミングで洗浄されたか否かを監視し、
上記洗浄制御手段は、上記被洗浄対象が上記洗浄タイミングで洗浄されていないと上記洗浄タイミング監視手段にて判断された場合に、上記飲料の供給を停止するための制御を行うこと、
を特徴とする請求項１又は２に記載の飲料ディスペンサ。
【請求項４】
上記洗浄タイミング監視手段は、上記洗浄タイミングが到来するまでの残存期間を監視し、
上記洗浄制御手段は、上記残存期間に関する出力制御を行うこと、
を特徴とする請求項１〜３のいずれか一つに記載の飲料ディスペンサ。
【請求項５】
上記洗浄監視手段は、前回の洗浄からの経過時間、前回の洗浄からの上記飲料の供給量、及び又は、前回の洗浄からの上記飲料の供給回数に基づいて、上記監視を行うこと、
を特徴とする請求項１〜４のいずれか一つに記載の飲料ディスペンサ。
【請求項６】
上記洗浄が実行された旨を取得する実行情報入力手段を備え、
上記洗浄監視手段は、上記実行情報入力手段にて上記洗浄が実行された旨が取得された場合に、上記前回の洗浄からの経過時間、上記前回の洗浄からの上記飲料の供給量、及び又は、上記前回の洗浄からの上記飲料の供給回数を、所定の初期値にリセットすること、
を特徴とする請求項５に記載の飲料ディスペンサ。
【発明の詳細な説明】
【技術分野】
【０００１】
本発明は、ビールやジュース等の各種の飲料を供給する飲料ディスペンサに関し、特に、定期的に洗浄を行う必要がある飲料ディスペンサに関するものである。
【背景技術】
【０００２】
従来から、飲料タンクに収容されているビールやジュース等の飲料を、紙コップやジョッキに注出する飲料ディスペンサが知られている。例えば、ビール用の飲料ディスペンサは、ビール樽と炭酸ガスとに接続されており、オペレータが所定の注出要求操作を行うと、ビール樽に収容されているビールが、炭酸ガスの圧力によって飲料ディスペンサに送り込まれ、ジョッキ等に注出される。
【０００３】
このような飲料ディスペンサは、その特定箇所、例えば、配管内部を定期的に洗浄する必要がある。特に、ビール用の飲料ディスペンサの場合、定期的に洗浄しないと、ビールの味覚が落ちたり、泡が過剰に立ち易くなる等、ビール品質が劣化するために好ましくない。
【０００４】
このため、従来から、洗浄を行うことができる飲料ディスペンサが提案されていた。例えば、上述した炭酸ガスの圧力でビールを注出するビールディスペンサにおいて、従来、ビール樽に接続される注出ヘッドを、洗浄時にはビール樽から取り外して給水栓に取り付け、この給水栓からの水道水によってディスペンサ内部のビール流路やビール導管等の被洗浄回路が洗浄される（例えば、特許文献１参照）。
【０００５】
また、従来から、炭酸ガスのガスボンベを弁を介して注出バルブや注出ヘッドに接続し、このガスボンベのガス圧力にて弁を開閉することで、ビールの水道水をビール導管等に導入してディスペンサ内部の洗浄を行うことで、洗浄時の注出ヘッドの着脱を不要にした、無着脱式の洗浄機構も提案されていた（例えば、特許文献２参照）。
【０００６】
【特許文献１】実開昭５９−１９６４９５号公報
【特許文献２】特開平１−７０３９９号公報
【発明の開示】
【発明が解決しようとする課題】
【０００７】
しかしながら、従来の飲料ディスペンサでは、洗浄の実行がディスペンサのユーザに委ねられていたので、いくら簡便な洗浄機構を設けても、ユーザの事情によっては、実際には定期洗浄が行われない可能性があった。すなわち、定期洗浄のタイミングになったことに気が付かなかったり、気が付いた場合であっても店舗が忙しくて洗浄を行わなかったりすることがあり、供給されるビールの品質が劣化等する可能性があった。
【０００８】
本発明は、上記実情に鑑みて、定期的な洗浄をユーザに促すことにより、供給される飲料の品質保持等を行うことができる飲料ディスペンサを提供することを目的とする。
【課題を解決するための手段】
【０００９】
上記の目的を達成するために、本発明の請求項１に係る飲料ディスペンサは、飲料を供給するための飲料ディスペンサであって、当該飲料ディスペンサの内部における所定の被洗浄対象の洗浄タイミングに関する所定事項を監視する洗浄タイミング監視手段と、上記洗浄タイミング監視手段の監視結果に基づいて、上記洗浄に関する所定の制御を行う洗浄制御手段とを備えたことを特徴とする。
【００１０】
また、本発明の請求項２に係る飲料ディスペンサは、上記請求項１において、上記洗浄タイミング監視手段は、上記被洗浄対象が上記洗浄タイミングで洗浄されたか否かを監視し、上記洗浄制御手段は、上記被洗浄対象が上記洗浄タイミングで洗浄されていないと上記洗浄タイミング監視手段にて判断された場合に、上記洗浄を促す出力を行うための制御を行うことを特徴とする。
【００１１】
また、本発明の請求項３に係る飲料ディスペンサは、上記請求項１又は２において、上記洗浄タイミング監視手段は、上記被洗浄対象が上記洗浄タイミングで洗浄されたか否かを監視し、上記洗浄制御手段は、上記被洗浄対象が上記洗浄タイミングで洗浄されていないと上記洗浄タイミング監視手段にて判断された場合に、上記飲料の供給を停止するための制御を行うことを特徴とする。
【００１２】
また、本発明の請求項４に係る飲料ディスペンサは、上記請求項１〜３のいずれか一つにおいて、上記洗浄タイミング監視手段は、上記洗浄タイミングが到来するまでの残存期間を監視し、上記洗浄制御手段は、上記残存期間に関する出力制御を行うことを特徴とする。
【００１３】
また、本発明の請求項５に係る飲料ディスペンサは、上記請求項１〜４のいずれか一つにおいて、上記洗浄監視手段は、前回の洗浄からの経過時間、前回の洗浄からの上記飲料の供給量、及び又は、前回の洗浄からの上記飲料の供給回数に基づいて、上記監視を行うことを特徴とする。
【００１４】
また、本発明の請求項６に係る飲料ディスペンサは、上記請求項５において、上記洗浄が実行された旨を取得する実行情報入力手段を備え、上記洗浄監視手段は、上記実行情報入力手段にて上記洗浄が実行された旨が取得された場合に、上記前回の洗浄からの経過時間、上記前回の洗浄からの上記飲料の供給量、及び又は、上記前回の洗浄からの上記飲料の供給回数を、所定の初期値にリセットすることを特徴とする。
【発明の効果】
【００１５】
本発明に係る飲料ディスペンサは、洗浄タイミングに基づく種々の制御を行うことで、洗浄を適切に実行させ、ひいては、飲料の品質を維持することができるという効果を奏する。
【００１６】
本発明に係る飲料ディスペンサは、洗浄タイミングが経過したことをオペレータに報知でき、洗浄を行う動機付けを与えることができるため、飲料の品質を維持することができるという効果を奏する。
【００１７】
本発明に係る飲料ディスペンサは、洗浄タイミングが経過した場合には、洗浄が実行される迄、飲料販売が禁止されるので、洗浄を一層強く促すことができるという効果を奏する。
【００１８】
本発明に係る飲料ディスペンサは、次の洗浄タイミングが到来するまでの残存期間をオペレータに報知でき、洗浄を準備させることができるという効果を奏する。
【００１９】
本発明に係る飲料ディスペンサは、経過時間、供給量、及び又は、供給回数に基づいて洗浄タイミングを監視でき、多角的な観点から洗浄監視を行うことができるという効果を奏する。
【００２０】
本発明に係る飲料ディスペンサは、洗浄が実行された場合には、経過時間、供給量、及び又は、供給回数が自動的にリセットされるので、次の洗浄タイミングを容易かつスムーズに監視できるという効果を奏する。
【発明を実施するための最良の形態】
【００２１】
〔本発明の基本的概念〕
最初に、本発明に係る飲料ディスペンサの基本的概念について説明する。本発明に係る飲料ディスペンサは、当該飲料ディスペンサにおいて洗浄を行うべき箇所（以下、「被洗浄対象」と称する）について、洗浄を行うべき所定のタイミング（以下、「洗浄タイミング」と称する）を監視する機能と有している。そして、洗浄タイミングが到来しても洗浄が行われない場合にはオペレータに警報を発し、あるいは、洗浄タイミングが到来するまでの日数や時間（以下、「残存期間」と称する）の表示出力等を行う。
【００２２】
このような洗浄タイミングの監視は、種々の方法（基準）で行うことができる。例えば、前回の洗浄が終了した後、所定時間が経過した場合に、次の洗浄タイミングが到来したと判断できる（この場合の判断基準になる所定時間を以下、「基準経過時間」と称する）。また、前回の洗浄が終了した後、一定量の飲料が供給された場合に、次の洗浄タイミングが到来したと判断できる（この場合の判断基準になる供給量を以下、「基準供給量」と称する）。あるいは、前回の洗浄が終了した後、飲料が一定回数供給された場合に、次の洗浄タイミングが到来したと判断できる（この場合の判断基準になる供給量を以下、「基準供給回数」と称する）。
【００２３】
以下に添付図面を参照して、本発明に係る飲料ディスペンサの好適な実施例を詳細に説明する。以下の各実施例では、本発明を、ビールを販売する飲料ディスペンサ（ビールディスペンサ）に適用した場合について説明する。このため、以下では必要に応じて、「飲料」を「ビール」、「供給」を「販売」と読み替えて説明する。ただし、各実施例により本発明が限定されるものではない。
【実施例１】
【００２４】
まず、本発明に係る飲料ディスペンサの実施例１について説明する。図１は、実施例１における飲料ディスペンサを示す概略側断面図、図２は、実施例１における飲料ディスペンサの正面図である。
【００２５】
〔飲料ディスペンサの基本的構成〕
まず、飲料ディスペンサの基本的構成について説明する。図１に示すように、飲料ディスペンサ１は、炭酸ガスを収容してある炭酸ガスボンベ２と、ビールを収容してある２つのビール樽３とに接続されており、ビールを２系統で注出可能なように構成されている（以下、必要に応じて、各系統を「ライン１」や「ライン２」と称して区別する）。この飲料ディスペンサ１は、ディスペンサ本体１０、飲料注出機構２０、容器傾動機構３０、及び、操作パネル４０を備えている。
【００２６】
このうち、ディスペンサ本体１０は、図１に示すように、機械室１１と冷却水槽１２とを備えている。機械室１１は、ディスペンサ本体１０の下方側に配置されており、その内部には、冷却用コンプレッサ１３及び放熱ファン１４が配置されている。また、冷却水槽１２は、ディスペンサ本体１０の上方側に配置されており、その内部には、蒸発器１５、攪拌器１６、及び、２系統の冷却コイル１７が配置されている。
【００２７】
また、飲料注出機構２０は、図１に示すように、注出バルブ２１、注出レバー２２、及び、バルブ駆動部２３をそれぞれ２系統備えている。このうち、注出バルブ２１は、ビール樽３からディスペンサ本体１０を介して供給されたビールを注出するための注出手段であり、ビールを注出するビール注出口２４と、泡を注出する泡注出口２５とを有する。また、注出レバー２２は、注出バルブ２１の開閉を行うための操作手段であり、所定の一方向に傾動された場合にはビール注出口２４からビールを注出させ、所定の他方向に傾動された場合には泡注出口２５から泡を注出させる。また、バルブ駆動部２３は、注出レバー２２を傾動させることでバルブを駆動させる手段であり、駆動源としてバルブ駆動モータ２６（後述する図４においてのみ図示する）を備える。
【００２８】
また、容器傾動機構３０は、容器受台３１と、受台駆動部３２とをそれぞれ２系統備えている。容器受台３１は、ビールを受容する各種の飲用容器（例えば、紙コップ、グラス、あるいは、ジョッキ）を保持する保持手段である。また、受台駆動部３２は、容器受台３１を傾斜位置とに傾動させ、あるいは、容器受台３１を直立位置に復帰させる手段であり、駆動源として受台駆動モータ３３（後述する図４においてのみ図示する）を備える。
【００２９】
また、操作パネル４０は、オペレータが飲料ディスペンサ１に対する操作を行い、あるいは、オペレータに対して各種情報の表示出力を行うための手段であり、各系統毎に設けられている。図３は、操作パネル４０の拡大正面図である。この図３に示すように、操作パネル４０には、ビールの連続注出を指示するためのビール連続スイッチ４１、泡の連続注出を指示するための泡連続スイッチ４２、大ジョッキへの定量注出を指示するための大ジョッキ用の定量ボタン４３、中ジョッキへの定量注出を指示するための中ジョッキ用の定量ボタン４４、ビールグラスへの定量注出を指示するためのグラス用の定量ボタン４５、ビール樽３の残量不足をオペレータに警報するための３つの警報ランプ４６、ビールの売切れをオペレータに報知するための売切れランプ４７、各種操作や情報表示を行うためのタッチパネル４８、及び、洗浄の実行を指示するための洗浄ボタン４９が設けられている。ここで、洗浄ボタン４９は、洗浄が実行された旨を取得する実行情報入力手段として機能する。
【００３０】
〔飲料ディスペンサの電気的構成〕
次に、飲料ディスペンサ１の電気的構成について説明する。図４は、飲料ディスペンサ１の電気的構成を概念的に示すブロック図である。この図４に示すように、飲料ディスペンサ１には、上述した、バルブ駆動モータ２６、受台駆動モータ３３、及び、操作パネル４０に加えて、流量計５１、メモリ５２、及び、制御部５３が設けられている。
【００３１】
流量計５１は、２系統の冷却コイル１７の各々に設けられ、当該冷却コイル１７の内部を流れるビールの量を回転羽や超音波等にて計測する供給量計測手段である。
【００３２】
また、メモリ５２は、情報を書換え可能に記憶する記憶手段であり、例えば、RAM（Random Access Memory）やフラッシュメモリを用いて構成される。特に、本実施例１においてメモリ５２には、洗浄タイミングの到来を判断する際の基準になる基準経過時間、基準販売量、及び、基準販売回数と、その時点における販売量、及び、販売回数が記憶されている。なお、これら基準経過時間、基準販売量、及び、基準販売回数は、オペレータが任意の内容に設定できるようにしてもよいが、オペレータ側の事情で不適切な基準が設定されないように、設定権限を有する一定の者のみが設定できるようにすることがより好ましい。例えば、タッチパネル４８において所定のパスワードが入力された場合にのみ、任意の内容に設定できるようにすることが好ましい。
【００３３】
また、制御部５３は、各電気的構成要素の制御を行う中央制御手段である。特に、制御部５３には、洗浄タイミング監視部５４及び洗浄制御部５５が設けられている。このうち、洗浄タイミング監視部５４は、飲料ディスペンサ１の内部における被洗浄対象の洗浄タイミングに関する所定事項を監視する洗浄タイミング監視手段である。また、洗浄制御部５５は、洗浄タイミング監視部５４の監視結果に基づいて、洗浄に関する所定の制御を行う洗浄制御手段である。
【００３４】
〔飲料ディスペンサの基本的動作〕
このように構成された飲料ディスペンサ１の基本的なビール注出動作は下記の通りである。すなわち、炭酸ガスボンベ２の炭酸ガスは、入力側ガスホース４を介してディスペンサ本体１０の機械室１１に送り込まれる。そして、炭酸ガスは、図示しない調圧手段によって２系統に分けて調圧され、各系統の炭酸ガスが出力側ガスホース５を介してそれぞれビール樽３に導入される。
【００３５】
この炭酸ガスの圧力によって、各ビール樽３に収容されているビールがそれぞれ別系統のビール管路６を介してディスペンサ本体１０に送り込まれ、冷却水槽１２の２系統の冷却コイル１７に導かれる。ここで、冷却コイル１７の周囲の冷却水は、蒸発器１５にて冷却され、攪拌器１６にて攪拌されることで、適切な温度に保たれている。したがって、冷却コイル１７に導かれたビールは、この冷却コイル１７を通過する間に冷却水によって間接的に冷却される。このように冷却されたビールは、飲料注出機構２０の注出バルブ２１に至る。
【００３６】
この状態で、オペレータが、容器受台３１に図示しない飲用容器を載せると共に操作パネル４０を介して所定の注出要求操作を行うと、この操作内容に応じて、注出レバー２２がバルブ駆動部２３を介して所定の一方向又は他方向に傾動される。ここで、注出レバー２２がビール注出方向に傾動された場合には、ビール注出口２４からビールが注出され、注出レバー２２が泡注出方向に傾動された場合には、泡注出口２５から泡が注出される。
【００３７】
また、オペレータの注出要求が定量注出であった場合、ビールの注出開始と同時に、容器受台３１が受台駆動部３２にて傾斜位置に傾動され、飲用容器が傾動した状態でビール注出が行われる。このことにより、ビールが飲用容器の底面ではなく側面に注ぎ込まれ、余分な泡が出ることが防止される。そして、所定量のビールが注出されたことが流量計５１からの流量情報にて検知されると、注出レバー２２がバルブ駆動部２３にて停止位置に傾動されると共に、容器受台３１が受台駆動部３２にて直立位置に傾動され、ビール注出が完了する。
【００３８】
〔飲料ディスペンサの洗浄手順〕
また、オペレータは、定期的に被洗浄対象を洗浄する。例えば、被洗浄対象は、ビール樽３から注出バルブ２１に至るビール経路、具体的には、ビール管路６及び冷却コイル１７である。まず、オペレータが、ビール樽３を洗浄用の樽に交換し、洗浄ボタン４９を押すと、炭酸ガスの圧力によって、洗浄用の樽に収容されている洗浄水がそれぞれ別系統のビール管路６を介してディスペンサ本体１０に送り込まれ、冷却コイル１７に導かれて、注出バルブ２１に至る。このことにより、洗浄水にてビール管路６及び冷却コイル１７が洗浄される。
【００３９】
また、洗浄玉と称されるスポンジ状の球体をビール管路６の入り口に挿入し、これを上記洗浄による洗浄水と共に注出バルブ２１に圧送することで、洗浄をより効果的に行うこともできる。このような洗浄水の圧送を継続した後、洗浄用の樽に収容されている洗浄水が全てなくなり、注出バルブ２１から炭酸ガスのみが出るようになった場合、これを目安として、洗浄を終了することができる。そして、オペレータは、洗浄用の樽をビール樽３に交換し、ビール販売を再開できる。なお、このような具体的洗浄方法は任意に変更可能であり、例えば、上述した従来技術の如き無着脱式の洗浄機構を用いても良い。
【００４０】
〔洗浄タイミング監視処理〕
次に、飲料ディスペンサ１による洗浄タイミング監視処理について説明する。図５は、洗浄タイミング監視処理のフローチャートである。この処理は、所定の起動タイミングで開始されるもので、例えば、オペレータが飲料ディスペンサ１の図示しない電源を投入することにより開始される。
【００４１】
まず、洗浄タイミング監視部５４により、メモリ５２に記憶されている経過時間、販売量、及び、販売回数が初期化される（ステップＳ１）。ただし、以前の経過時間、販売量、及び、販売回数を継続して使用することもでき、この場合には、初期化がスキップされるようにしてもよい。その後、洗浄タイミング監視部５４により、メモリ５２に記憶されている基準経過時間が呼出され、この基準経過時間のカウントダウンが開始される（ステップＳ２）。そして、洗浄タイミング監視部５４により、洗浄タイミングが到来したか否か、すなわち、基準経過時間が経過したか否か（カウントダウン値がゼロになったか否か）が監視される（ステップＳ３）。
【００４２】
ここで、基準経過時間が経過したと判断された場合、その旨が洗浄タイミング監視部５４から洗浄制御部５５に出力される。そして、洗浄制御部５５により、被洗浄対象が洗浄タイミング内に洗浄されたかったものと判断され、オペレータに対して洗浄を促す出力（ここでは、警報出力）を行うための制御が行われる（ステップＳ４）。例えば、図６に示すように、タッチパネル４８に所定のメッセージ４８ａが表示される。あるいは、図示しない警報ランプを点灯又は点滅させることで警報したり、ブザー音や所定の音声メッセージを出力してもよい。このことにより、洗浄タイミングが経過したことをオペレータに報知でき、洗浄を行う動機付けを与えることができる。
【００４３】
一方、ステップＳ３において基準経過時間が経過していないと判断された場合、洗浄タイミング監視部５４により、ビール販売要求の有無が監視される（ステップＳ５）。例えば、ビール連続スイッチ４１、泡連続スイッチ４２、あるいは、定量ボタン４３〜４５が押圧された場合には、ビール販売要求があったものと判断される。このようにビール販売要求があったと判断された場合、その要求に応じてビール販売が行われる（ステップＳ６）。
【００４４】
そして、洗浄タイミング監視部５４の制御により、流量計５１にて計測されたビールの流出量が、ビールの販売量としてメモリ５２に記憶される（ステップＳ７）。この販売量は積算的に記録され、複数回目のビール販売においては、前回までの総販売量と今回の販売量との総和が、新たな総販売量としてメモリ５２に記憶される。したがって、メモリ５２には、常にその時点までのビールの総販売量が記憶される。
【００４５】
また、ビール販売があったと判断された場合、洗浄タイミング監視部５４の制御により、ビールの販売回数がメモリ５２に記憶される。この販売回数は積算的に記録され、複数回目のビール販売においては、前回までの総販売回数と今回の販売回数（＝１）との総和が、新たな総販売回数としてメモリ５２に記憶される（ステップＳ８）。したがって、メモリ５２には、常にその時点までのビールの総販売回数が記憶される。
【００４６】
その後、洗浄タイミング監視部５４により、基準販売量及び基準販売回数がメモリ５２から呼出され、これら基準販売量及び基準販売回数と、先に取得した販売量及び販売回数とが比較される（ステップＳ９）。ここで、販売量が基準販売量と同じかそれ以上になったと判断された場合、あるいは、販売回数が基準販売回数と同じかそれ以上になったと判断された場合には、その旨が洗浄タイミング監視部５４から洗浄制御部５５に出力される。この出力を受けた洗浄制御部５５により、ステップＳ４と同様に、オペレータに対して洗浄を促す出力を行うための制御が行われる（ステップＳ１０）。このことにより、洗浄タイミングが経過したことをオペレータに報知でき、洗浄を行う動機付けを与えることができる。そして、販売終了が例えば図示しない電源遮断によって指示されると、洗浄タイミング監視処理が終了する（ステップＳ１１）。
【００４７】
また、ステップＳ５においてビール販売がないと判断された場合、あるいは、ステップＳ１１において販売が終了していないと判断された場合には、残存期間の更新及び表示が行われる（ステップＳ１２）。具体的には、洗浄タイミング監視部５４により、カウントダウンされている基準経過時間が取得され、これが残存時間に設定される。また、洗浄タイミング監視部５４により、基準販売量、基準販売回数、その時点における販売量、及び、販売回数がメモリ５２から呼出され、基準販売量から販売量を減じることで残存販売量が算出され、基準販売回数から販売回数を減じることで残存販売回数が算出される。
【００４８】
そして、これら残存時間、残存販売量、及び、残存販売回数が洗浄制御部５５に出力され、洗浄制御部５５にて、これら残存期間に関する情報をオペレータに対して報知するための制御が行われる。例えば、図７に示すように、タッチパネル４８に所定のメッセージ４８ｂと、残存時間４８ｃ、残存販売量４８ｄ、及び、残存販売回数４８ｅとが表示される。あるいは、図示しないランプを点灯又は点滅させることで報知したり、ブザー音や所定の音声メッセージを出力してもよい。このことにより、次の洗浄タイミングが到来するまでの時間、販売量、あるいは、販売回数をオペレータに報知でき、洗浄を準備させることができる。
【００４９】
このように、本実施例１の構成及び処理によれば、洗浄タイミングが経過したことをオペレータに報知でき、洗浄を行う動機付けを与えることができるため、ビールの品質を維持することができる。また、経過時間、供給量、又は、供給回数のいずれか一つが基準に達した場合には、洗浄の報知を行うことができ、多角的な観点から洗浄監視を行うことができる。いずれかまた、次の洗浄タイミングが到来するまでの残存期間をオペレータに報知でき、洗浄を準備させることができる。
【実施例２】
【００５０】
次に、実施例２に係る飲料ディスペンサについて説明する。図８は、本実施例２における洗浄タイミング監視処理のフローチャートである。なお、特に説明なき構造及び方法については、上述した実施例１と同様であり、同一の構成及び同一の処理ステップを同一の符号を付して説明する。
【００５１】
図８において、ステップ３において、基準経過時間がゼロになったと判断された場合、あるいは、ステップＳ９において、販売量が基準販売量と同じかそれ以上になったと判断された場合、あるいは、販売回数が基準販売回数と同じかそれ以上になったと判断された場合には、その旨が洗浄タイミング監視部５４から洗浄制御部５５に出力される。この出力を受けた洗浄制御部５５により、オペレータに対して警報を出力するための制御が行われる（ステップＳ１３）。
【００５２】
このように警報が出力された後、洗浄タイミング監視部５４により、洗浄が実行されたか否かが監視される（ステップＳ１４）。例えば、洗浄ボタン４９が押された場合には、洗浄が実行されたと判断することができる。そして、このように洗浄が実行されたと判断される迄、ステップＳ１３における警報が繰り返される。この場合、洗浄が実行される迄、ステップＳ６におけるビール販売に移行しないため、結果として、ビール販売が禁止される。また、ステップＳ１３における警報では、単に洗浄タイミングの到来を報知するだけでなく、洗浄が実行される迄、ビール販売が禁止される旨ことを報知することが好ましい。例えば、図９に示すように、タッチパネル４８に所定のメッセージ４８ｆが表示される。
【００５３】
その後、洗浄が実行されたと判断された場合、ステップＳ１に移行して、メモリ５２に記憶されている経過時間、販売量、及び、販売回数が初期化される（ステップＳ１）。このことにより、洗浄が実行された場合には、これら経過時間等が自動的にリセットされ、次の洗浄タイミングを監視できる。
【００５４】
このように、本実施例２の構成及び処理によれば、実施例１の効果に加えて、洗浄タイミングが経過した場合には、洗浄が実行される迄、ビール販売が禁止されるので、洗浄を一層強く促すことができる。また、洗浄が実行された場合には、経過時間等が自動的にリセットされるので、次の洗浄タイミングを容易かつスムーズに監視できる。
【００５５】
〔改変及び改良の可能性〕
以上、本発明の各実施例について説明したが、本発明の具体的な構成及び方法は、特許請求の範囲に記載した各発明の技術的思想の範囲内において、任意に改変及び改良することができる。また、発明が解決しようとする課題や発明の効果は、上記した内容に限定されるものではなく、本発明によって、上記に記載されていない課題を解決したり、上記に記載されていない効果を奏することもでき、また、記載されている課題の一部のみを解決したり、記載されている効果の一部のみを奏することがある。また、上記各実施例で自動的に行われるものとして説明した制御の全部又は任意の一部は、手動で行っても良い。
【００５６】
また、各実施例において示した制御部内の各構成ブロックは、実際には、ＣＰＵ（Central Processing Unit）にて読み出され実行されるコンピュータプログラムとして構成することができ、あるいは、ハードワーヤードロジックにて構成することができる。また、各構成ブロックの機能の実際の分割単位は任意であり、各構成ブロックの機能を１つのコンピュータプログラム統合的に実行可能にしてもよく、あるいは、各構成ブロックの機能を、上述した構成例よりも多数の下位機能に分割してもよい。
【００５７】
また、各実施例においては、ビールを販売するディスペンサを例示したが、任意の飲料を有償又は無償で供給する全てのディスペンサにも同様に本発明を適用できる。また、各実施例においては、自動的に注出する自動ディスペンサを例示したが、オペレータが手動で注出レバー２２を傾動させてビール注出を行うマニュアル式のディスペンサにも本発明を同様に適用できる。
【００５８】
また、各実施例では、被洗浄対象がビール経路である場合について説明したが、その他の任意の部位を被洗浄対象として、洗浄タイミングを監視してもよい。例えば、冷却水槽１２の冷却水の洗浄を、経過時間、販売量、及び又は、販売回数に基づいて洗浄監視してもよい。さらに、各実施例では、経過時間、販売量、及び、販売回数に基づいて洗浄監視を行っているが、これらのいずれか一部のみを用いて監視してもよく、あるいは、経過時間、販売量、及び、販売回数の全てが基準を超えた場合にのみ洗浄タイミングが到来したと判断してもよい。
【００５９】
また、実施例２において洗浄実行を判断する場合、洗浄が単に開始されたことではなく、洗浄が適切に完了されたことを判断し、適切に完了された場合にのみ、次回の販売を許容することが好ましい。これは、オペレータが、実際には洗浄を行なっていないにも関わらず、洗浄を実行した旨のみを形式的に入力し、本処理による販売禁止を回避しようとする可能性があるためである。このような洗浄の適切な完了を検知するための具体的方法は任意であるが、例えば、注出バルブ２１の前段に洗浄水の検知センサを設け、この検知センサにて洗浄水が所定時間以上連続して検知された場合には、ビール経路に洗浄水が圧送された（洗浄が行われた）ものと判断することができる。この場合には、洗浄管理を一層正確に行うことができる。
【産業上の利用可能性】
【００６０】
以上のように、本発明に係る飲料ディスペンサは、飲料ディスペンサの洗浄監視に有用であり、特に、定期的な洗浄を促して飲料品質を維持することに適している。
【図面の簡単な説明】
【００６１】
【図１】実施例１における飲料ディスペンサを示す概略側断面図である。
【図２】実施例１における飲料ディスペンサの正面図である。
【図３】操作パネルの拡大正面図である。
【図４】飲料ディスペンサの電気的構成を概念的に示すブロック図である。
【図５】洗浄タイミング監視処理のフローチャートである。
【図６】洗浄タイミング監視処理におけるタッチパネルの表示例を示す図である。
【図７】洗浄タイミング監視処理におけるタッチパネルの表示例を示す図である。
【図８】実施例２における洗浄タイミング監視処理のフローチャートである。
【図９】洗浄タイミング監視処理におけるタッチパネルの表示例を示す図である。
【符号の説明】
【００６２】
１    飲料ディスペンサ
２    炭酸ガスボンベ
３    ビール樽
４    入力側ガスホース
５    出力側ガスホース
６    ビール管路
１０    ディスペンサ本体
１１    機械室１１
１２    冷却水槽
１３    冷却用コンプレッサ
１４    放熱ファン
１５    蒸発器
１６    攪拌器
１７    冷却コイル
２０    飲料注出機構
２１    注出バルブ
２２    注出レバー
２３    バルブ駆動部
２４    ビール注出口
２５    泡注出口
２６    バルブ駆動モータ
３０    容器傾動機構
３１    容器受台
３２    受台駆動部
３３    受台駆動モータ
４０    操作パネル
４１    ビール連続スイッチ
４２    泡連続スイッチ
４３〜４５    定量ボタン
４６    警報ランプ
４７    売切れランプ
４８    タッチパネル
４９    洗浄ボタン
５１    流量計
５２    メモリ
５３    制御部
５４  洗浄タイミング監視部
５５  洗浄制御部
【図１】
2005263272.tif 000003
【図２】
2005263272.tif 000004
【図３】
2005263272.tif 000005
【図４】
2005263272.tif 000006
【図５】
2005263272.tif 000007
【図６】
2005263272.tif 000008
【図７】
2005263272.tif 000009
【図８】
2005263272.tif 000010
【図９】
2005263272.tif 000011